(57)【要約】【課題】  クライアント端末から情報処理装置を利用可能な状態にした後、情報処理装置の側にいないときに、機器が他のユーザに不正に利用されることを防止すること。【解決手段】  機器の操作部をスクリーンロックする手段と、スクリーンロックを解除する手段とを備える。また、リモート端末から利用されるときに、認証情報を要求してローカルでログインしているか否かを判定する。そして、ローカルでログインしているユーザからのジョブのみを実行する。【選択図】  図１
2008193528.tif 000002
【特許請求の範囲】
【請求項１】
クライアント端末とネットワークを介して接続される情報処理装置であって、
ユーザからのオンライン指示に応じてオンライン状態へ移行するオンライン化手段と、
前記情報処理装置に対する少なくとも一部の操作を禁止するロック状態へ、前記オンライン指示に応じて前記情報処理装置を移行するロック手段と、
前記オンライン状態において、前記クライアント端末から機能実行命令を受信する受信手段と、
前記受信手段が受信した機能実行命令に応じた機能を実行する実行手段と、
前記ロック状態において第１認証情報が入力された場合に、前記ロック状態を解除する解除手段と、
を備えることを特徴とする情報処理装置。
【請求項２】
第２認証情報を入力して認証し、認証に成功した場合に前記情報処理装置へのログインを認めるログイン手段を更に有し、
前記受信手段は、前記クライアント端末から、前記機能実行命令と共に第３認証情報を受信し、
前記実行手段は、第２認証情報と第３認証情報とを比較し、クライアント端末のユーザと情報処理装置にログインしたユーザとが一致するか否かを判定して、ユーザが一致すると判定した場合に、前記機能実行命令に応じた機能を実行することを特徴とする請求項１に記載の情報処理装置。
【請求項３】
前記解除手段は、
前記第１認証情報が、前記第２認証情報と一致する場合に、ロック状態を解除することを特徴とする請求項２に記載の情報処理装置。
【請求項４】
ユーザの操作を受け付けるための操作手段を更に有し、
前記ロック手段は、ロック状態において前記操作手段を無効化し、前記解除手段は、ロック状態を解除する際に、前記操作手段を有効化することを特徴とする請求項１に記載の情報処理装置。
【請求項５】
前記ロック状態を解除するために前記第１認証情報が入力された場合、オンライン状態を解除し、前記クライアント端末から機能実行命令をできないオフライン状態へと移行するオフライン化手段を更に有することを特徴とする請求項１に記載の情報処理装置。
【請求項６】
クライアント端末とネットワークを介して接続される情報処理装置の制御方法であって、
ユーザからのオンライン指示に応じてオンライン状態へ移行するオンライン化ステップと、
前記情報処理装置に対する少なくとも一部の操作を禁止するロック状態へ、前記オンライン指示に応じて前記情報処理装置を移行するロックステップと、
前記オンライン状態において、前記クライアント端末から機能実行命令を受信する受信ステップと、
前記受信ステップで受信した機能実行命令に応じた機能を実行する実行ステップと、
前記ロック状態において第１認証情報が入力された場合に、ロック状態を解除する解除ステップと、
を含むことを特徴とする情報処理装置の制御方法。
【請求項７】
クライアント端末とネットワークを介して接続される情報処理装置の制御プログラムであって、
ユーザからのオンライン指示に応じてオンライン状態へ移行するオンライン化ステップと、
情報処理装置に対する少なくとも一部の操作を禁止するロック状態へ、前記オンライン指示に応じて情報処理装置を移行するロックステップと、
前記オンライン状態において、前記クライアント端末から機能実行命令を受信する受信ステップと、
前記受信ステップで受信した機能実行命令に応じた機能を実行する実行ステップと、
前記ロック状態において第１認証情報が入力された場合に、ロック状態を解除する解除ステップと、
を情報処理装置に実行させることを特徴とする制御プログラム。
【発明の詳細な説明】
【技術分野】
【０００１】
本発明は、情報処理装置、その制御方法及び制御プログラムに関する。
【背景技術】
【０００２】
従来から、クライアント端末から、ジョブを受信し、実行する情報処理装置が知られている。例えば、複合機では、クライアントＰＣからスキャン操作を実行するリモートスキャン機能が提供されている（特許文献１）。
【０００３】
【特許文献１】特開２００５−１３０１０２号公報
【発明の開示】
【発明が解決しようとする課題】
【０００４】
しかしながら、従来の情報処理装置では、クライアント端末の操作によりジョブを実行する際に、他のユーザによって、情報処理装置を不正に操作される危険性があった。
【０００５】
本発明は、上記従来技術の課題を解決するためになされたもので、その目的は、クライアント端末から要求されたジョブの実行をより安全に実現する技術を提供することにある。
【課題を解決するための手段】
【０００６】
上記目的を達成するため、本発明に係る装置は、
クライアント端末とネットワークを介して接続される情報処理装置であって、
ユーザからのオンライン指示に応じてオンライン状態へ移行するオンライン化手段と、
情報処理装置に対する少なくとも一部の操作を禁止するロック状態へ、前記オンライン指示に応じて情報処理装置を移行するロック手段と、
前記オンライン状態において、前記クライアント端末から機能実行命令を受信する受信手段と、
前記受信手段が受信した機能実行命令に応じた機能を実行する実行手段と、
前記ロック状態において第１認証情報が入力された場合に、ロック状態を解除する解除手段と、
を備えることを特徴とする。
【０００７】
第２認証情報を入力して認証し、認証に成功した場合に前記情報処理装置へのログインを認めるログイン手段を更に有し、
前記受信手段は、前記クライアント端末から、前記機能実行命令と共に第３認証情報を受信し、
前記実行手段は、第２認証情報と第３認証情報とを比較し、クライアント端末のユーザと情報処理装置にログインしたユーザとが一致するか否かを判定して、ユーザが一致すると判定した場合に、前記機能実行命令に応じた機能を実行することを特徴とする。
【０００８】
上記目的を達成するため、本発明に係る方法は、
クライアント端末とネットワークを介して接続される情報処理装置の制御方法であって、
ユーザからのオンライン指示に応じてオンライン状態へ移行するオンライン化ステップと、
情報処理装置に対する少なくとも一部の操作を禁止するロック状態へ、前記オンライン指示に応じて情報処理装置を移行するロックステップと、
前記オンライン状態において、前記クライアント端末から機能実行命令を受信する受信ステップと、
前記受信ステップで受信した機能実行命令に応じた機能を実行する実行ステップと、
前記ロック状態において第１認証情報が入力された場合に、ロック状態を解除する解除ステップと、
を含むことを特徴とする。
【０００９】
上記目的を達成するため、本発明に係るプログラムは、
クライアント端末とネットワークを介して接続される情報処理装置の制御プログラムであって、
ユーザからのオンライン指示に応じてオンライン状態へ移行するオンライン化ステップと、
情報処理装置に対する少なくとも一部の操作を禁止するロック状態へ、前記オンライン指示に応じて情報処理装置を移行するロックステップと、
前記オンライン状態において、前記クライアント端末から機能実行命令を受信する受信ステップと、
前記受信ステップで受信した機能実行命令に応じた機能を実行する実行ステップと、
前記ロック状態において第１認証情報が入力された場合に、ロック状態を解除する解除ステップと、
を情報処理装置に実行させることを特徴とする。
【発明の効果】
【００１０】
クライアント端末から要求されたジョブの実行をより安全に実現することができる。
【発明を実施するための最良の形態】
【００１１】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１２】
本実施形態では、情報処理装置の一例として、リモートスキャン機能を備えた複合機について説明する。しかし、本発明はこれに限定されるものではなく、クライアント端末とネットワークを介して接続され、クライアント端末から受信した指示に基づくジョブを実行するいかなる情報処理装置にも適用可能である。
【００１３】
図１は、本実施形態に係る複合機１０１とクライアント端末としてのＰＣ１０２を含むネットワークシステムを示す図である。複合機１０１とＰＣ１０２はネットワークで接続されている。複合機１０１は、プリント、コピー、スキャン、ＦＡＸなどの機能を備える。複合機１０１は、サーバ装置として機能し、クライアント装置に対する操作を、ネットワークを介して受信し、実行する機能を備える。一方、ＰＣ１０２は、ネットワークを介して複合機１０１の機能を利用可能である。
【００１４】
本実施形態においては、ユーザは、まず、複合機１０１にログインしてオンライン状態にし、必要であれば、原稿や用紙のセットなどの作業を行ってから、ＰＣ１０２の位置に移動する。複合機１０１は、オンライン状態になると、ユーザが離れると想定して、自動的にロック状態となる。ユーザは、次にＰＣ１０２を操作してログインし、複合機１０１に機能実行の命令を送る。その際、ＰＣ１０２は、ログインされた際に入力された認証情報も機能実行命令と共に複合機１０１に送る。複合機１０１は、受け取った命令に応じて機能を実行する前に、ＰＣ１０２から送られた認証情報と、複合機１０１へのログイン時に入力された認証情報とを比べ、その一致を確認する。一致していれば、ＰＣ１０２と複合機１０１のユーザが同一であることが確認できるため、ＰＣ１０２から送信された命令に従って機能を実行し、その結果をＰＣ１０２に送る。
【００１５】
以下、１例として、ＰＣ１０２から複合機１０１にリモートスキャンを実行させる際の構成及び処理について詳しく説明する。
【００１６】
図２は、複合機１０１の内部構成を示す図である。複合機１０１は、制御部２０１、スキャナ部２０２、認証部２０３、記憶部２０４、操作入力部２０５、操作表示部２０６、受信手段としてのネットワークＩ／Ｆ部２０７などを備えている。制御部２０１は他の構成要素２０２〜２０７と接続されており、これらを制御することにより、ユーザからの操作入力部２０５を介してのオンライン指示に応じてオンライン状態へ移行するオンライン化手段として機能する。オンライン状態へ移行した場合は、ネットワークＩ／Ｆ部２０７を介した処理の指示を受け付け可能な状態である。また、制御部２０１は、オンライン指示を受けて、複合機１０１に対する操作入力部２０５を用いた少なくとも一部の操作を禁止するロック状態へ移行するロック手段としても機能する。更に、制御部２０１は、認証部２０３と協働し、ロック状態において第１認証情報が入力された場合に、ロック状態を解除する解除手段や、第２認証情報を入力して認証し、認証に成功した場合に複合機１０１へのログインを認めるログイン手段としても機能する。
【００１７】
スキャナ部２０２はスキャンジョブの実行指示に応じて原稿上の画像を読み取り、この画像に応じたイメージデータを生成する。このスキャナ部２０２は、制御部２０１や認証部２０３と協働し、クライアント端末のユーザと複合機のログインユーザとが一致すると判定した場合に、クライアント端末からの機能実行命令に応じた機能を実行する実行手段として機能する。
【００１８】
認証部２０３は、ユーザによって入力されたユーザ名とパスワードを含む識別情報を用いて認証を行い、複合機１０１を利用可能なユーザであるかを判定する。記憶部２０４には、ユーザ認証情報などの情報やプログラムが格納される。操作入力部２０５はユーザから複合機１０１の機能の設定や実行指示を受け付けるための操作手段として機能する。操作表示部２０６はユーザが複合機１０１の機能の設定や実行に関わる情報を表示する表示手段として機能する。ネットワークＩ／Ｆ部２０７は、インターネットやＬＡＮなどに接続されたＰＣ１０２などと通信を行うための通信手段である。
【００１９】
図３は、操作入力部２０５及び操作表示部２０６を含む操作部の一例である。操作部にはタッチパネル３０１及びハードキーが含まれる。タッチパネル３０１は、ディスプレイ上に種々のキーを表示画面上に表示させ指やペンなどで画面に触れることにより操作を行うソフトキーである。ハードキーには、数字キー３０２や認証キー３０３が含まれる。数字キー３０２は数字を入力するためのハードキーである。認証キー３０３はログアウトするためのハードキーである。
【００２０】
図４〜９は、複合機１０１及びＰＣ１０２の処理をそれぞれ示すフローチャートである。図４〜９では、ＰＣ１０２からネットワークを介してスキャン操作を実行する場合の処理を説明する。
【００２１】
図４、１０、１１を参照して、本実施形態における複合機１０１のログイン処理について説明する。図１０は、複合機１０１のタッチパネル３０１に表示されるログイン画面または、ＶＮＣ（Ｖｉｒｔｕａｌ Ｎｅｔｗｏｒｋ Ｃｏｍｐｕｔｉｎｇ）クライアントで表示されるログイン画面の一例である。ここで、ＶＮＣとはネットワークに接続された他の装置の操作画面を操作するための仕組みであり、ＶＮＣサーバ機能を有する装置の操作画面を、ＶＮＣクライアント機能を有する装置で表示し、それに従って操作を可能としたものである。図１０のログイン画面には、ユーザ名入力欄１００１、パスワード入力欄１００２、認証ボタン１００３が含まれる。ユーザ名入力欄１００１はユーザ名を入力するためのＧＵＩコンポーネントである。パスワード入力欄１００２はパスワードを入力するためのＧＵＩコンポーネントである。認証ボタン１００３はログインを指示するためのＧＵＩコンポーネントである。
【００２２】
図４は、認証情報を表すユーザ名及びパスワードがそれぞれユーザ名入力欄及びパスワード入力欄に入力され認証ボタン１００３が押されたときの複合機１０１の処理を表すフローチャートである。先ず、認証部２０３が、入力された認証情報から認証を行い、ログインさせるかを判定する（ステップＳ４００）。認証に成功した場合、記憶部２０４に認証情報を保存し、ログイン状態にする（ステップＳ４１０）。一方で失敗した場合、認証に失敗した旨を通知するメッセージ（不図示）をログイン画面に表示し（ステップＳ４１１）、ログイン処理を終了する。ステップＳ４１０でログイン状態になると、タッチパネル３０１にログインユーザが利用可能な各種機能の操作画面（例えば図１１）を表示する（ステップＳ４２０）。
【００２３】
図１１は、リモートスキャン機能が初期画面に設定されていた場合、ログイン直後（Ｓ４２０）に、複合機１０１のタッチパネル３０１に表示されるリモートスキャン操作のオフライン画面の一例である。図１１のオフライン画面にはオンラインボタン１１０１が含まれる。オンラインボタン１１０１はリモートからのスキャン操作の許可を指示するためのＧＵＩコンポーネントである。
【００２４】
次に、図５、１２を参照して、本実施形態における複合機１０１のリモートスキャン操作のオンライン処理について説明する。図５は、オフライン画面のオンラインボタン１１０１が押されたときの複合機１０１の処理を表すフローチャートである。先ず、複合機１０１の制御部２０１は、操作入力部２０５の一部機能を無効化し、複合機１０１のもつ少なくとも一部の機能を操作できないロック状態にする（ステップＳ５００）。そして、ＰＣ１０２からのジョブの受信を許可するオンライン状態にする（ステップＳ５１０）。次に、タッチパネル３０１に図１２に示すオンライン画面を表示し（ステップＳ５２０）、オンライン処理を終了する。
【００２５】
図１２は、複合機１０１のタッチパネル３０１に表示されるリモートスキャン操作のオンライン画面の一例である。図１２のオンライン画面には、ユーザ名入力欄１２０１、パスワード入力欄１２０２、認証ボタン１２０３が含まれる。ユーザ名入力欄１２０１はユーザ名を入力するためのＧＵＩコンポーネントである。パスワード入力欄１２０２はパスワードを入力するためのＧＵＩコンポーネントである。認証ボタン１２０３はロック解除を指示するためのＧＵＩコンポーネントである。
【００２６】
以上のように、ログインユーザが複合機１０１をオンライン状態にした場合、その後、複合機１０１からＰＣ１０２へ移動する蓋然性が高いため、複合機１０１を自動的にロックする。オンラインにするだけで複合機１０１は自動的にロック状態に移行するので、ユーザが特別な操作をしなくても、ログインユーザではない他のユーザが複合機１０１を不正に操作することを防止できる。
【００２７】
次に、図６を参照して、本実施形態における複合機１０１のリモートスキャン操作のスキャン要求受信処理について説明する。ＰＣ１０２からスキャン要求を受信した複合機１０１は、認証情報を受信する（ステップＳ６００）。そして、図４のステップＳ４１０の処理により記憶部２０４に保存されていた認証情報を読出して、受信した認証情報と照合し（ステップＳ６１０）、照合結果をＰＣ１０２に送信する（ステップＳ６２０）。
【００２８】
入力された認証情報が登録された認証情報と一致する場合、ログインユーザとスキャンを要求したユーザは同一であるとみなし、照合は成功とする（ステップＳ６３０）。照合に成功すると、スキャナ部２０２はスキャンジョブを実行する（ステップＳ６４０）。一方で照合に失敗すると、スキャン要求受信処理を終了する。ステップＳ６４０でスキャンジョブの実行が終了すると、スキャン結果をＰＣ１０２に送信する（ステップＳ６５０）。スキャン結果を送信すると、スキャン要求受信処理を終了する。このように、ＰＣ１０２から複合機１０１を操作する場合、ユーザがログインユーザであるかを照合するため、ログインしていないユーザが不正に操作することを防止することができる。
【００２９】
次に、図７、１１を参照して、本実施形態における複合機１０１のオフライン化処理について説明する。図７は、リモートスキャン操作のオンライン画面（図１２）において、認証情報を表すユーザ名とパスワードが入力され、認証ボタンが押されたときの複合機１０１の処理を表すフローチャートである。先ず、認証部２０３が、入力された認証情報と記憶部２０４に保存された認証情報を照合する（ステップＳ７００）。認証情報が一致する場合、複合機１０１は、ＰＣ１０２からのスキャン操作を不可にするオフライン状態にする（ステップＳ７１０）。一方で一致しない場合、認証に失敗した旨を通知するメッセージ（不図示）をオンライン画面に表示する（ステップ７１１）。Ｓ７１０でオフライン状態になると、制御部２０１はロック状態を解除し、操作入力部２０５を有効化して、操作入力部２０５からの操作を許可するアンロック状態にする（ステップＳ７２０）。そして、タッチパネル３０１に図１１のオフライン画面を表示する（ステップＳ７３０）。オフライン画面を表示すると、オフライン化処理を終了する。
【００３０】
次に、図８、１０を参照して、本実施形態における複合機１０１のログアウト処理について説明する。図８は、認証キー３０３が押されたときの複合機１０１の処理を表すフローチャートである。先ず、複合機１０１は、記憶部２０４に保存した認証情報を無効にし、ログアウト状態にする（ステップＳ８００）。ログアウト状態になると、タッチパネル３０１に図１０のログイン画面を表示する（ステップＳ８１０）。ログイン画面を表示すると、ログアウト処理を終了する。
【００３１】
次に、図９、１３、１４を参照して、本実施形態におけるＰＣ１０２のリモートスキャン操作の処理について説明する。図１３は、ＰＣ１０２で実行されるリモートスキャンアプリケーションの操作画面の一例である。図１３のログイン画面には、スキャナ名入力欄１３０１、ユーザ名入力欄１３０２、パスワード入力欄１３０３、実行ボタン１３０４が含まれる。スキャナ名入力欄１３０１はスキャナ名を入力するためのＧＵＩコンポーネントである。ユーザ名入力欄１３０２はユーザ名を入力するためのＧＵＩコンポーネントである。パスワード入力欄１３０３はパスワードを入力するためのＧＵＩコンポーネントである。実行ボタン１３０４はスキャンの実行を指示するためのＧＵＩコンポーネントである。実行ボタン１３０４は、スキャナ名、ユーザ名及びパスワードの全ての情報があって初めてアクティブになる。
【００３２】
図９は、リモートスキャンアプリケーションの実行ボタン１３０４が押されたときのＰＣ１０２のスキャン処理を表すフローチャートである。先ず、ＰＣ１０２は、複合機１０１がオンライン状態かどうかを問い合わせる（ステップＳ９００）。複合機１０１がオンライン状態の場合は、ＰＣ１０２は、複合機１０１に対し、入力欄１３０２、１３０３に入力された認証情報及びスキャン要求を送信する（ステップＳ９１０、Ｓ９２０）。一方でオフライン状態の場合は、オフライン状態のためスキャンに失敗した旨を通知するメッセージダイアログ（不図示）を表示し（ステップＳ９１１）、スキャン処理を終了する。
【００３３】
一方、認証情報を送信後、複合機１０１から認証結果を受信する（ステップＳ９３０）。認証結果を受信すると、結果を判定する（ステップＳ９４０）。認証に成功した場合は、複合機１０１のスキャンの実行結果を受信する（ステップＳ９５０）。一方で認証に失敗した場合は、認証に失敗した旨を通知するメッセージダイアログ（不図示）を表示し（ステップＳ９５１）、スキャン処理を終了する。ステップＳ９５０でスキャンの実行結果を受信すると、図１４のメッセージダイアログを表示し（ステップＳ９６０）、スキャン処理を終了する。
【００３４】
図１４は、リモートスキャンアプリケーションにおいてスキャン成功時に表示されるメッセージダイアログの一例である。図１４のメッセージダイアログには、保存ボタン１４０１、プレビューボタン１４０２、キャンセルボタン１４０３が含まれる。保存ボタン１４０１は、スキャンイメージの保存を指示するためのＧＵＩコンポーネントである。プレビューボタン１４０２は、スキャンイメージのプレビュー画面の表示を指示するためのＧＵＩコンポーネントである。キャンセルボタンは、スキャンイメージの保存の中止を指示し、メッセージダイアログを閉じるためのＧＵＩコンポーネントである。メッセージダイアログでは、スキャンイメージの保存、プレビュー、保存の取り止めを選択できる。
【００３５】
上記実施形態では、ＰＣ１０２から複合機１０１を操作するとき認証情報の照合を行ったが、複合機１０１の操作部から不正に操作することのみを禁止する目的の場合、上記照合処理を行わなくてもよい。
【００３６】
また、上記実施形態では、ユーザが複合機１０１の操作部から認証情報を入力してログインしたが、本発明はこれに限定されるものではない。例えば、複合機１０１において、ログインを要求せずに、認証部２０３がＰＣ１０２から受信した認証情報と、予め記憶部２０４に登録されているリモートユーザ識別情報とを比較することによって認証処理を行ってもよい。
【００３７】
本実施形態によれば、あるユーザが認証により複合機を利用可能状態にしてから、その場を離れる際、他の認証していないユーザが不正に利用することを防止できる。
【００３８】
（他の実施形態）
以上、本発明の実施形態について詳述したが、本発明は、複数の機器から構成されるシステムに適用しても良いし、また、一つの機器からなる装置に適用しても良い。
【００３９】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００４０】
その場合、プログラムの機能を有していれば、オブジェクトコード、インタプリタにより実行されるプログラム、ＯＳに供給するスクリプトデータ等、プログラムの形態を問わない。
【００４１】
プログラムを供給するための記録媒体としては、例えば、フロッピー（登録商標）ディスク、ハードディスク、光ディスク、光磁気ディスクがある。また、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４２】
その他、クライアントＰＣのブラウザを用いてインターネットサイトに接続し、本発明に係るプログラムそのもの、もしくは更に自動インストール機能を含むファイルをハードディスク等の記録媒体にダウンロードするという利用方法もある。また、本発明に係るプログラムを構成するプログラムコードを複数のファイルに分割し、それぞれのファイルを異なるホームページからダウンロードすることによっても実現可能である。つまり、本発明の機能処理をコンピュータで実現するためのプログラムを複数のユーザに対してダウンロードさせるＷＷＷサーバも、本発明の範疇に含まれる。
【００４３】
また、本発明に係るプログラムを暗号化してＣＤ−ＲＯＭ等の記憶媒体に格納してユーザに配布してもよい。所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４４】
また、プログラムの指示に基づき、コンピュータ上で稼動しているＯＳなどが、実際の処理の一部または全部を行ない、その処理によっても前述した実施形態の機能が実現され得る。
【００４５】
さらに、ＰＣの機能拡張ユニットに備わるメモリに本発明に係るプログラムが書き込まれ、そのプログラムに基づき、その機能拡張ユニットに備わるＣＰＵなどが実際の処理の一部または全部を行なう場合も、本発明の範疇に含まれる。
【図面の簡単な説明】
【００４６】
【図１】本発明の一実施形態としての複合機とクライアント装置を含むネットワーク構成図である。
【図２】本発明の一実施形態としての複合機の内部構成を示すブロック図である。
【図３】本発明の一実施形態としての複合機の操作部の一例を示す図である。
【図４】本発明の一実施形態としての複合機のログイン処理を示すフローチャートである。
【図５】本発明の一実施形態としての複合機のリモートスキャン時のオンライン処理を示すフローチャートである。
【図６】本発明の一実施形態としての複合機のリモートスキャン時のスキャン要求処理を示すフローチャートである。
【図７】本発明の一実施形態としての複合機のリモートスキャン時のオフライン処理を示すフローチャートである。
【図８】本発明の一実施形態としての複合機のログアウト処理を示すフローチャートである。
【図９】クライアントＰＣのリモートスキャン時の処理を示すフローチャートである。
【図１０】本発明の一実施形態としての複合機の操作表示部に表示されるログイン画面の一例を示す図である。
【図１１】本発明の一実施形態としての複合機の操作表示部に表示されるオフライン状態表示の一例を示す図である。
【図１２】本発明の一実施形態としての複合機の操作表示部に表示されるオンライン状態表示の一例を示す図である。
【図１３】クライアントＰＣのリモートスキャン実行用アプリケーション画面の一例を示す図である。
【図１４】クライアントＰＣのリモートスキャン実行用アプリケーションにおいてスキャン成功時に表示されるメッセージダイアログの一例を示す図である。
【符号の説明】
【００４７】
１０１  複合機（サーバ）
１０２  ＰＣ（クライアント）
２０１  制御部
２０２  スキャナ部
２０３  認証部
２０４  記憶部
２０５  操作入力部
２０６  操作表示部
２０７  ネットワークＩ／Ｆ部
３０１  タッチパネル
３０２  数字キー
３０３  認証キー
１００１  ユーザ名入力欄
１００２  パスワード入力欄
１００３  認証ボタン
１１０１  オンラインボタン
１２０１  ユーザ名入力欄
１２０２  パスワード入力欄
１２０３  認証ボタン
１３０１  スキャナ名入力欄
１３０２  ユーザ名入力欄
１３０３  パスワード入力欄
１３０４  実行ボタン
１４０１  保存ボタン
１４０２  プレビューボタン
１４０３  キャンセルボタン
【図１】
2008193528.tif 000003
【図２】
2008193528.tif 000004
【図３】
2008193528.tif 000005
【図４】
2008193528.tif 000006
【図５】
2008193528.tif 000007
【図６】
2008193528.tif 000008
【図７】
2008193528.tif 000009
【図８】
2008193528.tif 000010
【図９】
2008193528.tif 000011
【図１０】
2008193528.tif 000012
【図１１】
2008193528.tif 000013
【図１２】
2008193528.tif 000014
【図１３】
2008193528.tif 000015
【図１４】
2008193528.tif 000016